【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
ネットワークノードにおいて動作可能なワイヤレス通信の方法であって、
前記ネットワークノードに関連付けられたユーザ機器（ＵＥ）に同期能力要求を送信することと、前記同期能力要求は、前記ＵＥに少なくとも１つのターゲットセルの同期情報を報告することを要求し、
前記同期能力要求への応答として前記ＵＥから同期能力応答を受信することと、前記同期能力応答は、前記ＵＥが前記同期情報に関連する測定を実行する能力を示し、
前記ＵＥに同期支援データを送信することと、
前記同期情報を取得するために前記ＵＥに同期情報要求を送信することと、
前記ＵＥから前記少なくとも１つのターゲットセルの前記同期情報を受信することと、
前記受信された同期情報に基づいて、前記ネットワークノードの時間および周波数を前記少なくとも１つのターゲットセルの時間および周波数と同期させることと
を備える、方法。
【請求項２】
前記ネットワークノードが、フェムトセル、スモールセル、低電力セル、ピコセル、またはメトロセルを備え、前記少なくとも１つのターゲットセルがマクロセルを備える、請求項１に記載の方法。
【請求項３】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項１に記載の方法。
【請求項４】
前記同期情報が周波数間測定値または周波数内測定値を備える、請求項１に記載の方法。
【請求項５】
前記同期情報が、前記少なくとも１つのターゲットセルの第１の基準信号と前記ネットワークノードの第２の基準信号との間の時間オフセットを備える、請求項１に記載の方法。
【請求項６】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項５に記載の方法。
【請求項７】
前記同期情報が、前記第１の基準信号と前記第２の基準信号との間の周波数オフセットをさらに備える、請求項５に記載の方法。
【請求項８】
前記時間および周波数を同期させることが、前記同期情報に基づいて、前記少なくとも１つのターゲットセルの第１の基準信号と前記ネットワークノードの第２の基準信号との間の周波数オフセットを決定することを備える、請求項１に記載の方法。
【請求項９】
前記周波数オフセットが前記ＵＥまたは前記ネットワークノードにおいて計算される、請求項８に記載の方法。
【請求項１０】
ユーザ機器（ＵＥ）において動作可能なワイヤレス通信の方法であって、
前記ＵＥをサービスしているネットワークノードから同期能力要求を受信することと、前記同期能力要求は、前記ＵＥに少なくとも１つのターゲットセルの同期情報を報告することを要求し、
前記同期能力要求への応答として前記ネットワークノードに同期能力応答を送信することと、前記同期能力応答は、前記ＵＥが前記同期情報に関連する測定を実行する能力を示し、
前記ネットワークノードから同期支援データを受信することと、
前記同期情報を取得するために前記ネットワークノードから同期情報要求を受信することと、
前記同期支援データに基づいて前記少なくとも１つのターゲットセルの前記同期情報を取得することと、
前記同期情報を前記ネットワークノードに送信することと
を備える、方法。
【請求項１１】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項１０に記載の方法。
【請求項１２】
前記同期情報が周波数間測定値または周波数内測定値を備える、請求項１０に記載の方法。
【請求項１３】
前記同期情報が、前記少なくとも１つのターゲットセルの第１の基準信号と前記ネットワークノードの第２の基準信号との間の時間オフセットを備える、請求項１０に記載の方法。
【請求項１４】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項１３に記載の方法。
【請求項１５】
前記同期情報が、前記第１の基準信号と前記第２の基準信号との間の周波数オフセットをさらに備える、請求項１３に記載の方法。
【請求項１６】
前記第１の基準信号と前記第２の基準信号との間の複数の時間オフセットに基づいて前記周波数オフセットを決定することをさらに備える、請求項１５に記載の方法。
【請求項１７】
前記同期情報を取得することが、
前記少なくとも１つのターゲットセルからの第１の基準信号と、前記ネットワークノードからの第２の基準信号とを受信することと、
前記第１の基準信号と前記第２の基準信号との間のタイミング差を決定することと
を備える、請求項１０に記載の方法。
【請求項１８】
ネットワークノードであって、
前記ネットワークノードに関連付けられたユーザ機器（ＵＥ）に同期能力要求を送信するための手段と、前記同期能力要求は、前記ＵＥに少なくとも１つのターゲットセルの同期情報を報告することを要求し、
前記同期能力要求への応答として前記ＵＥから同期能力応答を受信するための手段と、前記同期能力応答は、前記ＵＥが前記同期情報に関連する測定を実行する能力を示し、
前記ＵＥに同期支援データを送信するための手段と、
前記同期情報を取得するために前記ＵＥに同期情報要求を送信するための手段と、
前記ＵＥから前記少なくとも１つのターゲットセルの前記同期情報を受信するための手段と、
前記受信された同期情報に基づいて、前記ネットワークノードの時間および周波数を前記少なくとも１つのターゲットセルの時間および周波数と同期させるための手段と
を備える、ネットワークノード。
【請求項１９】
前記ネットワークノードが、フェムトセル、スモールセル、低電力セル、ピコセル、またはメトロセルを備え、前記少なくとも１つのターゲットセルがマクロセルを備える、請求項１８に記載のネットワークノード。
【請求項２０】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項１８に記載のネットワークノード。
【請求項２１】
前記同期情報が周波数間測定値または周波数内測定値を備える、請求項１８に記載のネットワークノード。
【請求項２２】
前記同期情報が、前記少なくとも１つのターゲットセルの第１の基準信号と前記ネットワークノードの第２の基準信号との間の時間オフセットを備える、請求項１８に記載のネットワークノード。
【請求項２３】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項２２に記載のネットワークノード。
【請求項２４】
前記同期情報が、前記第１の基準信号と前記第２の基準信号との間の周波数オフセットをさらに備える、請求項２２に記載のネットワークノード。
【請求項２５】
前記時間および周波数を同期させるための前記手段が、前記同期情報に基づいて、前記少なくとも１つのターゲットセルの第１の基準信号と前記ネットワークノードの第２の基準信号との間の周波数オフセットを決定するための手段を備える、請求項１８に記載のネットワークノード。
【請求項２６】
前記周波数オフセットが前記ＵＥまたは前記ネットワークノードにおいて計算される、請求項２５に記載のネットワークノード。
【請求項２７】
ユーザ機器（ＵＥ）であって、
前記ＵＥをサービスしているネットワークノードから同期能力要求を受信するための手段と、前記同期能力要求は、前記ＵＥに少なくとも１つのターゲットセルの同期情報を報告することを要求し、
前記同期能力要求への応答として前記ネットワークノードに同期能力応答を送信するための手段と、前記同期能力応答は、前記ＵＥが前記同期情報に関連する測定を実行する能力を示し、
前記ネットワークノードから同期支援データを受信するための手段と、
前記同期情報を取得するために前記ネットワークノードから同期情報要求を受信するための手段と、
同期支援データに基づいて前記少なくとも１つのターゲットセルの前記同期情報を取得するための手段と、
前記同期情報を前記ネットワークノードに送信するための手段と
を備える、ＵＥ。
【請求項２８】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項２７に記載のＵＥ。
【請求項２９】
前記同期情報が周波数間測定値または周波数内測定値を備える、請求項２７に記載のＵＥ。
【請求項３０】
前記同期情報が、前記少なくとも１つのターゲットセルの第１の基準信号と前記ネットワークノードの第２の基準信号との間の時間オフセットを備える、請求項２７に記載のＵＥ。
【請求項３１】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項３０に記載のＵＥ。
【請求項３２】
前記同期情報が、前記第１の基準信号と前記第２の基準信号との間の周波数オフセットをさらに備える、請求項３０に記載のＵＥ。
【請求項３３】
前記第１の基準信号と前記第２の基準信号との間の複数の時間オフセットに基づいて前記周波数オフセットを決定するための手段をさらに備える、請求項３２に記載のＵＥ。
【請求項３４】
前記同期情報を取得するための前記手段が、
前記少なくとも１つのターゲットセルからの第１の基準信号と、前記ネットワークノードからの第２の基準信号とを受信するための手段と、
前記第１の基準信号と前記第２の基準信号との間のタイミング差を決定するための手段と
を備える、請求項２７に記載のＵＥ。
【請求項３５】
ネットワークノードに、
前記ネットワークノードに関連付けられたユーザ機器（ＵＥ）に同期能力要求を送信することと、前記同期能力要求は、前記ＵＥに少なくとも１つのターゲットセルの同期情報を報告することを要求し、
前記同期能力要求への応答として前記ＵＥから同期能力応答を受信することと、前記同期能力応答は、前記ＵＥが前記同期情報に関連する測定を実行する能力を示し、
前記ＵＥに同期支援データを送信することと、
前記同期情報を取得するために前記ＵＥに同期情報要求を送信することと、
前記ＵＥから前記少なくとも１つのターゲットセルの前記同期情報を受信することと、
前記受信された同期情報に基づいて、前記ネットワークノードの時間および周波数を前記少なくとも１つのターゲットセルの時間および周波数と同期させることと
を行わせるためのコードを備える非一時的コンピュータ可読記憶媒体
を備える、コンピュータプログラム製品。
【請求項３６】
前記ネットワークノードが、フェムトセル、スモールセル、低電力セル、ピコセル、またはメトロセルを備え、前記少なくとも１つのターゲットセルがマクロセルを備える、請求項３５に記載のコンピュータプログラム製品。
【請求項３７】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項３５に記載のコンピュータプログラム製品。
【請求項３８】
前記同期情報が周波数間測定値または周波数内測定値を備える、請求項３５に記載のコンピュータプログラム製品。
【請求項３９】
前記同期情報が、前記少なくとも１つのターゲットセルの第１の基準信号と前記ネットワークノードの第２の基準信号との間の時間オフセットを備える、請求項３５に記載のコンピュータプログラム製品。
【請求項４０】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項３９に記載のコンピュータプログラム製品。
【請求項４１】
前記同期情報が、前記第１の基準信号と前記第２の基準信号との間の周波数オフセットをさらに備える、請求項３９に記載のコンピュータプログラム製品。
【請求項４２】
前記時間および周波数を同期させるための前記コードが、前記ネットワークノードに、前記同期情報に基づいて、前記少なくとも１つのターゲットセルの第１の基準信号と前記ネットワークノードの第２の基準信号との間の周波数オフセットを決定することを行わせるためのコードをさらに備える、請求項３５に記載のコンピュータプログラム製品。
【請求項４３】
前記周波数オフセットが前記ＵＥまたは前記ネットワークノードにおいて計算される、請求項４２に記載のコンピュータプログラム製品。
【請求項４４】
ユーザ機器（ＵＥ）に、
前記ＵＥをサービスしているネットワークノードから同期能力要求を受信することと、前記同期能力要求は、前記ＵＥに少なくとも１つのターゲットセルの同期情報を報告することを要求し、
前記同期能力要求への応答として前記ネットワークノードに同期能力応答を送信することと、前記同期能力応答は、前記ＵＥが前記同期情報に関連する測定を実行する能力を示し、
前記ネットワークノードから同期支援データを受信することと、
前記同期情報を取得するために前記ネットワークノードから同期情報要求を受信することと、
前記同期支援データに基づいて前記少なくとも１つのターゲットセルの前記同期情報を取得することと、
前記同期情報を前記ネットワークノードに送信することと
を行わせるためのコードを備える非一時的コンピュータ可読記憶媒体
を備える、コンピュータプログラム製品。
【請求項４５】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項４４に記載のコンピュータプログラム製品。
【請求項４６】
前記同期情報が周波数間測定値または周波数内測定値を備える、請求項４４に記載のコンピュータプログラム製品。
【請求項４７】
前記同期情報が、前記少なくとも１つのターゲットセルの第１の基準信号と前記ネットワークノードの第２の基準信号との間の時間オフセットを備える、請求項４４に記載のコンピュータプログラム製品。
【請求項４８】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項４７に記載のコンピュータプログラム製品。
【請求項４９】
前記同期情報が、前記第１の基準信号と前記第２の基準信号との間の周波数オフセットをさらに備える、請求項４７に記載のコンピュータプログラム製品。
【請求項５０】
前記ＵＥに、前記第１の基準信号と前記第２の基準信号との間の複数の時間オフセットに基づいて前記周波数オフセットを決定することを行わせるためのコードをさらに備える、請求項４９に記載のコンピュータプログラム製品。
【請求項５１】
前記同期情報を取得するための前記コードが、前記ＵＥに、
前記少なくとも１つのターゲットセルからの第１の基準信号と、前記ネットワークノードからの第２の基準信号とを受信することと、
前記第１の基準信号と前記第２の基準信号との間のタイミング差を決定することと
を行わせるためのコードを備える、請求項４４に記載のコンピュータプログラム製品。
【請求項５２】
ネットワークノードであって、
少なくとも１つのプロセッサと、
前記少なくとも１つのプロセッサに結合された通信インターフェースと、
前記少なくとも１つのプロセッサに結合されたメモリと
を備え、ここにおいて、前記少なくとも１つのプロセッサが、
前記ネットワークノードに関連付けられたユーザ機器（ＵＥ）に同期能力要求を送信することと、前記同期能力要求は、前記ＵＥに少なくとも１つのターゲットセルの同期情報を報告することを要求し、
前記同期能力要求への応答として前記ＵＥから同期能力応答を受信することと、前記同期能力応答は、前記ＵＥが前記同期情報に関連する測定を実行する能力を示し、
前記ＵＥに同期支援データを送信することと、
前記同期情報を取得するために前記ＵＥに同期情報要求を送信することと、
前記ＵＥから前記少なくとも１つのターゲットセルの前記同期情報を受信することと、
前記受信された同期情報に基づいて、前記ネットワークノードの時間および周波数を前記少なくとも１つのターゲットセルの時間および周波数と同期させることと
を行うように構成された、ネットワークノード。
【請求項５３】
前記ネットワークノードが、フェムトセル、スモールセル、低電力セル、ピコセル、またはメトロセルを備え、前記少なくとも１つのターゲットセルがマクロセルを備える、請求項５２に記載のネットワークノード。
【請求項５４】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項５２に記載のネットワークノード。
【請求項５５】
前記同期情報が周波数間測定値または周波数内測定値を備える、請求項５２に記載のネットワークノード。
【請求項５６】
前記同期情報が、前記少なくとも１つのターゲットセルの第１の基準信号と前記ネットワークノードの第２の基準信号との間の時間オフセットを備える、請求項５２に記載のネットワークノード。
【請求項５７】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項５６に記載のネットワークノード。
【請求項５８】
前記同期情報が、前記第１の基準信号と前記第２の基準信号との間の周波数オフセットをさらに備える、請求項５６に記載のネットワークノード。
【請求項５９】
前記時間および周波数を同期させるために、前記少なくとも１つのプロセッサが、前記同期情報に基づいて、前記少なくとも１つのターゲットセルの第１の基準信号と前記ネットワークノードの第２の基準信号との間の周波数オフセットを決定するようにさらに構成された、請求項５２に記載のネットワークノード。
【請求項６０】
前記周波数オフセットが前記ＵＥまたは前記ネットワークノードにおいて計算される、請求項５９に記載のネットワークノード。
【請求項６１】
ユーザ機器（ＵＥ）であって、
少なくとも１つのプロセッサと、
前記少なくとも１つのプロセッサに結合された通信インターフェースと、
前記少なくとも１つのプロセッサに結合されたメモリと
を備え、ここにおいて、前記少なくとも１つのプロセッサが、
前記ＵＥをサービスしているネットワークノードから同期能力要求を受信することと、前記同期能力要求は、前記ＵＥに少なくとも１つのターゲットセルの同期情報を報告することを要求し、
前記同期能力要求への応答として前記ネットワークノードに同期能力応答を送信することと、前記同期能力応答は、前記ＵＥが前記同期情報に関連する測定を実行する能力を示し、
前記ネットワークノードから同期支援データを受信することと、
前記同期情報を取得するために前記ネットワークノードから同期情報要求を受信することと、
前記同期支援データに基づいて前記少なくとも１つのターゲットセルの前記同期情報を取得することと、
前記同期情報を前記ネットワークノードに送信することと
を行うように構成された、ＵＥ。
【請求項６２】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項６１に記載のＵＥ。
【請求項６３】
前記同期情報が周波数間測定値または周波数内測定値を備える、請求項６１に記載のＵＥ。
【請求項６４】
前記同期情報が、前記少なくとも１つのターゲットセルの第１の基準信号と前記ネットワークノードの第２の基準信号との間の時間オフセットを備える、請求項６１に記載のＵＥ。
【請求項６５】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項６４に記載のＵＥ。
【請求項６６】
前記同期情報が、前記第１の基準信号と前記第２の基準信号との間の周波数オフセットをさらに備える、請求項６４に記載のＵＥ。
【請求項６７】
前記少なくとも１つのプロセッサが、
前記第１の基準信号と前記第２の基準信号との間の複数の時間オフセットに基づいて前記周波数オフセットを決定すること
を行うようにさらに構成された、請求項６６に記載のＵＥ。
【請求項６８】
前記同期情報を取得するために、前記少なくとも１つのプロセッサが、
前記少なくとも１つのターゲットセルからの第１の基準信号と、前記ネットワークノードからの第２の基準信号とを受信することと、
前記第１の基準信号と前記第２の基準信号との間のタイミング差を決定することと
を行うようにさらに構成された、請求項６１に記載のＵＥ。